【手続補正書】
【提出日】平成28年10月13日(2016.10.13)
【手続補正１】
【補正対象書類名】明細書
【補正対象項目名】０００７
【補正方法】変更
【補正の内容】
【０００７】
前記課題を解決するために、本発明の描画装置は、
爪を有する指が載置される載置面を有する載置部と、
前記爪の表面を描画対象面とし、先端に描画部が設けられた先端部を一端に有し、前記先端部は第１軸線を中心軸とする形状を有し、前記描画部が前記描画対象面に接触して該描画対象面に描画を施す少なくとも一つの描画用具が装着される描画ヘッドと、
前記印刷対象面の前記描画を施す位置に応じて、前記描画ヘッドに装着されている前記描画用具を、前記先端部の前記第１軸線の方向が前記載置面に対して垂直な垂直方向に対して右側に傾斜した第１傾斜状態と前記垂直方向に対して左側に傾斜した第２傾斜状態の何れか一方に切り替える制御部と、
を備えていることを特徴としている。
【手続補正２】
【補正対象書類名】明細書
【補正対象項目名】０００８
【補正方法】変更
【補正の内容】
【０００８】
また、本発明の描画装置の描画制御方法は、
前記描画装置は、爪を有する指が載置される載置面を有する載置部と、先端に描画部が設けられた先端部を一端に有し、前記先端部は第１軸線を中心軸とする形状を有し、前記描画部が前記描画対象面に接触して該描画対象面に描画を施す少なくとも一つの描画用具が装着される描画ヘッドを有し、
前記描画対象面の前記描画を施す位置に応じて、前記描画ヘッドに装着されている前記描画用具を、前記先端部の前記第１軸線の方向が前記載置面に対して垂直な垂直方向に対して右側に傾斜した第１傾斜状態と前記垂直方向に対して左側に傾斜した第２傾斜状態の何れか一方に切り替えて、前記描画を施すことを特徴としている。
【手続補正３】
【補正対象書類名】特許請求の範囲
【補正対象項目名】全文
【補正方法】変更
【補正の内容】
【特許請求の範囲】
【請求項１】
爪を有する指が載置される載置面を有する載置部と、
前記爪の表面を描画対象面とし、先端に描画部が設けられた先端部を一端に有し、前記先端部は第１軸線を中心軸とする形状を有し、前記描画部が前記描画対象面に接触して該描画対象面に描画を施す少なくとも一つの描画用具が装着される描画ヘッドと、
前記印刷対象面の前記描画を施す位置に応じて、前記描画ヘッドに装着されている前記描画用具を、前記先端部の前記第１軸線の方向が前記載置面に対して垂直な垂直方向に対して右側に傾斜した第１傾斜状態と前記垂直方向に対して左側に傾斜した第２傾斜状態の何れか一方に切り替える制御部と、
を備えていることを特徴とする描画装置。
【請求項２】
前記描画用具は、一端側に前記先端部が設けられた描画用具軸部を有し、該描画用具軸部は第２軸線を中心軸とする形状を有し、前記第１軸線は前記第２軸線に対して傾斜しており、
前記描画ヘッドは、前記描画用具の前記描画用具軸部を、前記第２軸線を中心として回転可能に保持し、
前記制御部は、前記描画ヘッドに保持されている前記描画用具の前記描画用具軸部を前記第２軸線を中心として回転させることにより、前記先端部の前記第１軸線の方向を切り替えることを特徴とする請求項１に記載の描画装置。
【請求項３】
前記描画ヘッドは、前記描画用具の前記描画用具軸部を、前記第２軸線を中心として回転可能に保持する筒状の描画用具ホルダを有し、
前記描画用具は、前記描画ヘッドの前記描画用具ホルダに、前記先端部の前記第１軸線が、前記第１傾斜状態及び前記第２傾斜状態の何れか一方の状態となるように装着され、
前記制御部は、前記描画用具ホルダに保持されている前記描画用具を、前記描画用具ホルダの軸回りに回転させて、前記第１軸線の方向を切り替えることを特徴とする請求項２に記載の描画装置。
【請求項４】
前記描画用具の前記描画用具軸部は、外周面に形成された少なくとも１つの突起部を有し、
前記描画用具ホルダは、前記突起部が嵌る溝部を有する２つの切り欠き部を有し、
前記２つの切り欠き部の各々は、前記描画用具が、前記先端部の前記第１軸線が前記第１傾斜状態となる向きで前記描画用具ホルダに保持される状態となる第１の位置と、前記先端部の前記第１軸線が前記第２傾斜状態となる向きで前記描画用具ホルダに保持される状態となる第２の位置と、に形成されていることを特徴とする請求項３に記載の描画装置。
【請求項５】
前記描画用具の前記描画用具軸部を、前記描画用具ホルダの軸回りに回転させる駆動部を備え、
前記駆動部は、前記制御部により回転量及び回転方向が制御されるモータを有し、
前記制御部は、前記モータの回転量及び回転方向を制御して、前記第１軸線の方向を切り替えることを特徴とする請求項２から請求項４のいずれか一項に記載の描画装置。
【請求項６】
前記描画用具の前記描画用具軸部に設けられた第１の回転機構と、前記描画用具の移動可能範囲内に固定して設けられ、前記第１の回転機構に接触可能に設けられた第２の回転機構と、を有し、
前記制御部は、前記第１の回転機構が第２の回転機構と接触しながら移動するように前記描画用具を移動させることによって前記描画用具軸部を前記描画用具ホルダの軸回りに回転させて、前記第１軸線の方向を切り替えることを特徴とする請求項２から請求項４のいずれか一項に記載の描画装置。
【請求項７】
前記描画記具は、一端側に前記先端部が設けられた描画用具本体と、一端側に前記描画用具本体が取り付けられた軸部と、を有し、前記軸部は第３軸線に沿った円柱状を有し、前記筆記具本体は、前記描画用具本体の前記先端部の前記第１軸線が前記第３軸鉛に対して傾斜した状態で前記軸部に取り付けられており、
前記描画ヘッドは、前記描画用具の前記軸部を、前記第３軸線を中心として回転可能に保持し、
前記制御部は、前記描画ヘッドに保持されている前記描画用具の前記軸部を、前記第３軸線を中心として回転させることにより、前記先端部の前記第１軸線の方向を切り替えることを特徴とする請求項１に記載の描画装置。
【請求項８】
前記描画ヘッドは、前記描画用具の前記軸部を、前記第３軸線を中心として回転可能に保持する筒状の描画用具ホルダを有し、
前記描画用具は、前記描画ヘッドの前記描画用具ホルダに、前記描画用具本体の前記先端部の前記第１軸線が、前記第１傾斜状態及び前記第２傾斜状態の何れか一方の状態となるように装着され、
前記制御部は、前記描画用具ホルダに保持されている前記描画用具ホルダの軸周りに回転させて、前記第１軸線の方向を切り替えることを特徴とする請求項７に記載の描画装置。
【請求項９】
前記描画用具の前記軸部は、外周面に形成された少なくとも１つの突起部を有し、
前記描画用具ホルダは前記突起部が嵌る溝部を有する２つの切り欠き部が形成され、
前記２つの切り欠き部の各々は、前記描画用具が、前記先端部の前記第１軸線が前記第１傾斜状態となる向きで前記描画用具ホルダに保持される状態となる第１の位置と、前記先端部の前記第１軸線が前記第２傾斜状態となる向きで前記描画用具ホルダに保持される状態となる第２の位置と、に形成されていることを特徴とする請求項８に記載の描画装置。
【請求項１０】
前記描画用具の前記軸部を、前記描画用具ホルダの軸回りに回転させる駆動部を備え、
前記駆動部は、前記制御部により回転量及び回転方向が制御されるモータを有し、
前記制御部は、前記モータの回転量及び回転方向を制御して、前記第１軸線の方向を切り替えることを特徴とする請求項７から請求項９のいずれか一項に記載の描画装置。
【請求項１１】
前記描画用具の前記軸部に設けられた第１の回転機構と、前記描画用具の移動可能範囲内に固定して設けられ、前記第１の回転機構に接触可能に設けられた第２の回転機構と、を有し、
前記制御部は、前記第１の回転機構が第２の回転機構と接触しながら移動するように前記描画用具を移動させることによって前記軸部を前記描画用具ホルダの軸回りに回転させて、前記第１軸線の方向を切り替えることを特徴とする請求項７から請求項９のいずれか一項に記載の描画装置。
【請求項１２】
描画装置の描画制御方法であって、
前記描画装置は、爪を有する指が載置される載置面を有する載置部と、先端に描画部が設けられた先端部を一端に有し、前記先端部は第１軸線を中心軸とする形状を有し、前記描画部が前記描画対象面に接触して該描画対象面に描画を施す少なくとも一つの描画用具が装着される描画ヘッドを有し、
前記描画対象面の前記描画を施す位置に応じて、前記描画ヘッドに装着されている前記描画用具を、前記先端部の前記第１軸線の方向が前記載置面に対して垂直な垂直方向に対して右側に傾斜した第１傾斜状態と前記垂直方向に対して左側に傾斜した第２傾斜状態の何れか一方に切り替えて、前記描画を施すことを特徴とする描画装置の描画制御方法。